(57)【要約】【課題】原稿有無検知センサの照射光の反射板を清掃できる構造の原稿読取装置を提供する。【解決手段】本発明は、自動原稿搬送装置と原稿有無検知センサとスキャナとを備えた原稿読取装置であって、原稿が搬送されるときには、その原稿が原稿有無検知センサからの照射光を受光部に反射するように、その原稿搬送路と前記原稿有無検知センサとの関係を設定しており、前記原稿が搬送されないときには、前記原稿有無検知センサからの照射光を前記受光部とは異なる方向に反射するための反射板を備え、更にこの反射板を、露出可能な面に配置したものである。【選択図】      図１
2009296329.tif 000002
【特許請求の範囲】
【請求項１】
自動原稿搬送装置と、照射部及び受光部を有し前記自動原稿搬送装置で搬送される原稿の有無を検知するための原稿有無検知センサと、前記自動原稿搬送装置で搬送される原稿を光学的に読取るスキャナとを備え、原稿有無検知センサの原稿の検知によって前記自動原稿搬送装置や前記スキャナの動作を制御する原稿読取装置であって、
前記原稿が搬送されるときには、その原稿が原稿有無検知センサからの照射光を前記受光部に反射するように、その原稿搬送路と前記原稿有無検知センサとの関係を設定しており、
前記原稿が搬送されないときには、前記原稿有無検知センサからの照射光を前記受光部とは異なる方向に反射するための反射板を備え、
更にこの反射板を、露出可能な面に配置した
ことを特徴とする原稿読取装置。
【請求項２】
前記スキャナは、原稿読取用ガラスを通して原稿を読取るものであり、
前記露出可能な面を、前記原稿読取用ガラスと同一面に設定した
ことを特徴とする請求項1に記載の原稿読取装置。
【請求項３】
前記原稿有無検知センサは、前記自動原稿搬送装置に取り付けられており、
この自動原稿搬送装置はヒンジで前記露出可能な面に取り付けられている
ことを特徴とする請求項１又は２に記載の原稿読取装置。
【請求項４】
前記反射板を、超高分子量ポリエチレンシートやフッ素樹脂加工されたシートなどのシート材で形成した
ことを特徴とする請求項1乃至３の何れかに記載の原稿読取装置。
【請求項５】
前記反射板と原稿読取用ガラスとの両方に達するクリーニングパッドを有する掃除具を備える
ことを特徴とする請求項２乃至４の何れかに記載の原稿読取装置。
【請求項６】
複写機能、ファクシミリ機能、印刷機能のうち少なくとも１つ以上の機能を備える装置であって、
更に、請求項１乃至５の何れかに記載の原稿読取装置を備えることを特徴とする装置。
【請求項７】
原稿載置ガラス上に配置された原稿を光学的に読取るフラットヘッドスキャナと、
このフラットヘッドスキャナで読取った画像、及び、搬送される原稿の読取用のスキャナの読取った画像を印刷する印刷部とを備え、
開いたときに前記原稿載置ガラスが露出するように、前記自動原稿搬送装置を装置に対しヒンジで取り付け、
更に、前記原稿読取装置の反射板を、前記原稿載置ガラスと同じ面に配置した
ことを特徴とする請求項６に記載の原稿読取装置を備える装置。
【発明の詳細な説明】
【技術分野】
【０００１】
この発明は、自動原稿搬送装置を備える原稿読取装置、この原稿読取装置を備える装置に関する。
【背景技術】
【０００２】
自動原稿送り装置は、例えば、特開昭６２−０３５３３８号公報（特許文献１）に記載されている。この特許文献１に記載の自動原稿送り装置は、複写装置や情報記録装置に用いられる。この自動原稿送り装置は、シート状の原稿をスキャナによって画像が読取られるように、原稿を搬送させる。また、その原稿の搬送路中に、原稿の有無を検知するための原稿有無センサー１１が配置されている。この原稿有無センサー１１は反射光の有無を検知して、原稿の有無を検知する反射型のセンサである。
【０００３】
また、特開昭６２−０４７２６７号公報（特許文献２）には、複写機やファクシミリに使用される原稿読取装置が記載されている。この原稿読取装置は、原稿カバーの一部に、原稿の有無を検知する光学式のセンサ９ｃを備える。このセンサ９ｃは投射光の反射により、ガラス台の内側の読取りマークを読取れるか否かで、原稿の有無を検知する。
【０００４】
また、特開平０８−０５６２８１号公報（特許文献３）には、原稿搬送路途中に原稿を読取るための密着センサ２を配置したファクシミリ装置が記載されている。このファクシミリ装置において、平滑度の高いフィル１５を利用して、搬送させる原稿を密着センサ２に押し付けるようにしている。
【０００５】
【特許文献１】特開昭６２−０３５３３８号公報
【特許文献２】特開昭６２−０４７２６７号公報
【特許文献３】特開平０８−０５６２８１号公報
【発明の開示】
【発明が解決しようとする課題】
【０００６】
特許文献１や３に記載のように、自動原稿搬送装置を備えた装置においては、その原稿の有無を光センサで検知する場合、その光の反射板に、汚れや、紙粉が付着する場合がある。この場合、照射光が反射されなかったり、逆に強く反射したりするため、誤検知する恐れがある。誤検知防止のために、反射板の掃除をすべきであるが、光センサやその反射板は、通常、搬送路内の奥の方に配置されているので、ユーザには無理である場合が大半である。
【０００７】
また、特許文献２に記載の原稿読取装置は、そのセンサの反射板を掃除できる位置に設定しているが、このセンサは、原稿をガラス台の上にセットし忘れたときに原稿読取り動作を行なうことがないようにするためのものである。このため、この特許文献２に記載の装置は、センサの反射板を掃除できる構造でもあるが、自動原稿搬送装置を備える装置において、そのセンサの反射板を掃除できるようにするものではない。
【０００８】
本発明の目的は、上記課題を解決し、原稿有無検知センサの照射光の反射板を清掃できる構造の原稿読取装置、この原稿読取装置を備える装置を提供することにある。
【課題を解決するための手段】
【０００９】
本発明は上記課題を解決するためのものであって、本発明の原稿読取装置は、
自動原稿搬送装置と、照射部及び受光部を有し前記自動原稿搬送装置で搬送される原稿の有無を検知するための原稿有無検知センサと、前記自動原稿搬送装置で搬送される原稿を光学的に読取るスキャナとを備え、原稿有無検知センサの原稿の検知によって前記自動原稿搬送装置や前記スキャナの動作を制御する原稿読取装置であって、
前記原稿が搬送されるときには、その原稿が原稿有無検知センサからの照射光を前記受光部に反射するように、その原稿搬送路と前記原稿有無検知センサとの関係を設定しており、
前記原稿が搬送されないときには、前記原稿有無検知センサからの照射光を前記受光部とは異なる方向に反射するための反射板を備え、
更にこの反射板を、露出可能な面に配置したものである。
【００１０】
また、本発明の装置は、
複写機能、ファクシミリ機能、印刷機能のうち少なくとも１つ以上の機能を備える装置であって、
更に、前記原稿読取装置を備えるものである。
【発明の効果】
【００１１】
このように構成された本発明によれば、次に記載するような効果を奏する。
【００１２】
本発明の原稿読取装置によれば、原稿有無検知センサの照射光の反射板を露出可能な面に配置したので、反射板を露出させることができる。このため、反射板が汚れたときには、この反射板の汚れを掃除することができ、反射板の汚れによる誤検知を極力抑えることができる。
【発明を実施するための最良の形態】
【００１３】
本発明の第１実施形態について、図1、図２に基づき説明する。
【００１４】
図１は、第１実施形態の原稿読取装置を示す概略図である。図２は、同原稿読取装置の原稿有無検知センサの検知状態を示す説明図である。
【００１５】
原稿読取装置１０１は、例えば複写装置１０２に組み込まれて使用される。原稿有無検知センサ１０３はシート状の原稿Ｓの有無を検知するセンサで、例えば、光センサである。この原稿有無検知センサ１０３は、光を照射する照射部と、この照射した光の反射光を検知する受光部を備えている。尚、これら照射部と受光部とを何れも図示しない。
【００１６】
原稿有無検知センサ１０３で照射された照射光が、原稿Ｓによって反射され、その反射光が受光部により検知されると、図示しない制御装置により原稿有りと判断される。原稿有無検知センサ１０３で照射された照射光が、原稿Ｓが搬送されておらず、反射板１０４で、受光部とは異なる方向に反射されて、受光部が光を検知しないときには、制御装置により原稿無しと判断される。制御装置は、原稿有りと判断したときに、後述のスキャナ１０５を動作させると共に、後述の自動原稿搬送装置１０６を駆動させる。
【００１７】
スキャナ１０５は、原稿読取ガラス１０８を介して、搬送される原稿Ｓを光学的に読取る。自動原稿搬送装置１０６は、原稿Ｓを自動的に搬送する。この自動原稿搬送装置１０６は、ＡＤＦ（auto document feeder）とも呼ばれ、原稿Ｓ搬送するためのローラ１０７を複数備えている。
【００１８】
自動原稿搬送装置１０６は、複写装置１０２の本体に対し、例えばヒンジで開閉可能に取り付けられている。このため、自動原稿搬送装置１０６を開くと、反射板１０４が露出する構造である。
【００１９】
図２において、原稿無し検知状態Ａは、原稿Ｓが搬送されていないときの状態を示す。この原稿無し検知状態Ａでは、その反射板１０４で照射光を原稿有無検知センサ１０３の受光部と異なる方向に光を反射させているので、受光部は反射光を検知していない。原稿有り検知状態Ｂは、原稿Ｓが搬送されているときの状態を示す。この原稿有り検知状態Ｂでは、原稿Ｓで照射光が反射され、この反射された反射光を原稿有無検知センサ１０３の受光部が検知している。誤検知状態Ｃは、反射板１０４に汚れが付着し、照射光を乱反射させたり、異なる方向に反射させたりしている。この誤検知状態Ｃは、汚れにより反射された反射光を原稿有無検知センサ１０３の受光部が検知している。この誤検知状態Ｃでは、原稿Ｓが搬送されていないのに、原稿Ｓが搬送されているときと同じように反射光を検知しているので、誤検知である。
【００２０】
このように構成された原稿読取装置１０１は、複写機能の使用に伴って使用される。自動原稿搬送装置１０６で原稿Ｓを搬送しているときは、この原稿Ｓで照射光が反射され、この反射光を受光部が検知するので、原稿有りと図示しない制御装置により判断される（図２の原稿有り検知状態Ｂ）。自動原稿搬送装置１０６で原稿Ｓを搬送していないときは、反射板１０４で照射光を受光部とは異なる方向へ反射するので、この反射光を受光部が検知することはできず、原稿無しと制御装置により判断される（図２の原稿無し検知状態Ａ）。
自動原稿搬送装置１０６で原稿Ｓを搬送すると、反射板１０４に原稿Ｓの紙粉が付着したり、ゴミや埃が付着したりして汚れてくる。反射板１０４が汚れてくると、原稿有無検知センサ１０３からの光を乱反射させたり、所望の方向とは異なる方向に反射させたりすることがある。このような場合、反射板１０４の汚れによって反射された反射光を受光部が受光して、原稿Ｓが有ると判断される場合がある（図２の誤検知状態Ｃ）。これは、原稿Ｓが無い状態を、原稿Ｓが有ると判断するため、誤検知である。このような誤検知が発生する場合、その発生原因である反射板１０４の汚れを取り除く必要がある。この原稿読取装置１０１では、自動原稿搬送装置１０６を開くと、反射板１０４が露出する構造であるため、反射板１０４が汚れた際には、ユーザ自身が掃除できる。このため、原稿読取装置１０１における原稿有無検知センサ１０３の誤検知を極力防止できるとすることができる。
【００２１】
次に、本発明の第２実施形態について、図３〜図９に基づき説明する。この第２実施形態は、本発明の原稿読取装置を、複写装置（装置）に備えた具体例である。
【００２２】
図３は、本発明の第２実施形態の複写装置の要部を示す斜視図である。図４は、同複写装置において自動原稿搬送装置を開いた状態を示す斜視図である。図５は、同複写装置の要部を示す断面図である。図６は、同複写装置の反射板の配置された面を示す平面図である。図７は、同複写装置の自動原稿搬送装置を示す底面図である。図８は、同複写装置に備える清掃具である。図９は、同清掃具の使用状態を示す要部斜視図である。
【００２３】
原稿読取装置２０１は、複写装置２０７上部に配置されている自動原稿搬送装置２０２と、この自動原稿搬送装置２０２で搬送される原稿Ｓの有無を反射光により検知する原稿有無検知センサ２０３と、前記自動原稿搬送装置２０２で搬送される原稿Ｓを光学的に読取るスキャナ（図示せず）とを備える。原稿有無検知センサ２０３は、自動原稿搬送装置２０２内に組み込まれている。
【００２４】
この原稿有無検知センサ２０３は、搬送された原稿Ｓで反射された光を検知することにより原稿の有ることを検知する光センサである。原稿有無検知センサ２０３の照射光の反射板２０４は露出可能な位置に配置されている。具体的には、図４に示すように、自動原稿搬送装置２０２を開くと、反射板２０４が露出する。この反射板２０４は原稿読取ガラス２０５と同一面に設定されている。自動原稿搬送装置２０２はヒンジ２０６でその背部２０２Ａが複写装置背部２０７Ａに止められており、前述のように、その前面を上方に開くことができる。
【００２５】
反射板２０４は、原稿Ｓが送られる搬送路の近くに配置されている。このため、原稿Ｓが反射板２０４に接したり、あるいは、原稿Ｓが極めて近い位置を搬送したりする。反射板２０４は、滑り易いシート材で形成されており、仮に原稿Ｓが接しても、この原稿Ｓの動きを損なわないようにしている。このシート材の例として、超高分子量ポリエチレンシートや、フッ素樹脂加工されたシートなどが挙げられる。また、その色は黒色に設定している。この黒い色に設定することにより、反射する光を弱めている。
【００２６】
原稿有無検知センサ２０３は、搬送される原稿Ｓの有無を反射光の受光によって検知する。この原稿有無検知センサ２０３から照射した光が、搬送された原稿Ｓで反射し、この反射した光を原稿有無検知センサ２０３の受光部で検知すると、原稿Ｓが有ると図示しない制御装置で判断される。また、この原稿有無検知センサ２０３から照射した光が、反射板２０４で受光部とは異なる方向に反射され、受光部で反射光を検知できないときには、原稿Ｓは無いと制御装置で判断される。
【００２７】
原稿読取ガラス２０５は、その下方に図示しない原稿読取用のスキャナが配置されている。この原稿読取用のスキャナは、自動原稿搬送装置２０２により搬送される原稿Ｓを光学的に読取るものである。原稿読取ガラス２０５の表面が汚れると汚れを読取ってしまうため、表面の汚れを清掃する必要がある。また、原稿載置ガラス２０８の下方にも図示しないフラットヘッドスキャナが配置されており、原稿読取ガラス２０５と同様に、表面の汚れを清掃する必要がある。このフラットヘッドスキャナは、自動原稿搬送装置２０２で搬送することのできないような原稿、例えば、書籍や雑誌などの原稿Ｓを光学的に読取る。これら図示しないスキャナで読取られた画像を印刷する印刷部（印刷機能）を備えているが、図示は省略する。尚、原稿載置ガラス２０８はステージガラスと呼ばれることもあり、また、フラットヘッドスキャナはブックスキャナと呼ばれることもある。
【００２８】
自動原稿搬送装置２０２は、シート状の原稿Ｓを搬送するための複数のローラ２０９を備えている。また、複写するための原稿Ｓを載せる原稿トレイ２１０と、読取り済み（複写済み）の原稿Ｓが排出される排紙トレイ２１１とを備えている。更に、原稿Ｓの搬送路の途中の、特に反射板２０４に対向した位置になるように、原稿有無検知センサ２０３が配置されている。図５に示すように、原稿有無検知センサ２０３は、反射板２０４に対して斜めに向けて配置されており、原稿Ｓの搬送路に対してほぼ垂直に配置されている。この配置により、原稿Ｓが搬送されたときには、その原稿Ｓにより反射される光を受光部で受けることができ、原稿Ｓが搬送されていないときには、反射板２０４で、受光部とは異なる方向に光を反射する。これは、第1実施形態の原稿読取装置と同じである。尚、原稿有無検知センサ２０３の原稿Ｓの有無の検知により、ローラ２０９や、スキャナの動作を制御しているが、詳細は省略する。
【００２９】
複写装置２０７の前面右側には、操作部２１２を備えている。操作部２１２には、コピー開始キーや枚数設定キーなどの各種のキー２１３や、複写枚数や各種設定などを表示する表示部２１４を配置している。
【００３０】
清掃具７０１は、原稿読取ガラス２０５及び反射板２０４の清掃用のクリーニングパッド７０２と、滑り材７０３と、握り７０４とを備えた構成である。この清掃具７０１は、複写装置２０７の前面左側のホルダ２１５に収納されている。清掃具７０１は、図８に示すように、クリーニングパッド７０２を原稿読取ガラス２０５当たるように位置させると共に、反射板２０４の背面延長上に位置させて、前方に移動させて拭くと、原稿読取ガラス２０５の清掃と共に、途中の反射板２０４の清掃も、同時に行うことができる。このため、クリーニングパッド７０２の寸法は、原稿読取ガラス２０５を拭くだけでなく、反射板２０４も拭く必要があるため、やや大きなクリーニングパットである。
【００３１】
このように構成された複写装置２０７では、その自動原稿搬送装置２０２を使用する場合、原稿トレイ２１０に原稿Ｓを載置する。そして、複写（コピー）を開始するキー２１３を押下すると、ローラ２０９が回転して原稿Ｓが搬送される。原稿Ｓは、反射板２０４と接して、あるいは、極めて近接した位置の搬送路を通って搬送されるため、その原稿Ｓの汚れや、紙粉が、反射板２０４に付着しやすい。反射板２０４が汚れると、原稿有無検知センサ２０３は誤検知する恐れがあるため、ユーザ自身でその汚れを取り除くことが望ましい。ユーザ自身でその汚れを取り除くことができれば、サービス会社の有料のサービスを受けずに済むだけでなく、原稿有無検知センサ２０３の誤検知を事前に防止することもできる。
【００３２】
反射板２０４の清掃時においては、まず、自動原稿搬送装置２０２の前部分を上げる。このようにすると、原稿載置ガラス２０８、原稿読取ガラス２０５、反射板２０４が自然に露出した状態になる。そして、清掃具７０１をホルダ２１５から取り出し、そのクリーニングパッド７０２を原稿読取ガラス２０５に当て、クリーニングパッド７０２の左側が反射板２０４の背面延長線上に位置するように当てる。そして、前方へ移動させるように拭く。前端部まで移動させるようにして汚れを拭き取ると、原稿読取ガラス２０５の清掃と共に、途中の反射板２０４の清掃も同時に行える。汚れの拭き取りが不充分な場合は、複数回往復させたり、洗浄剤を使用すると良い。
【００３３】
このように、この複写装置２０７においては、その清掃具７０１が、原稿読取ガラス２０５と反射板２０４とを同時に清掃できる構造に形成されているため、この掃除具７０１を使用すると、原稿読取ガラス２０５と反射板２０４とを同時に、素早く清掃することができ、大変便利である。また、この清掃具７０１で、原稿載置ガラス２０８の掃除を行うこともできる。
【００３４】
このように、本発明によれば、反射板２０４を露出可能な位置に設定しているので、露出した反射板２０４を清掃でき、原稿読取装置２０１における原稿有無検知センサ２０３の誤検知を極力防止することができる。
【００３５】
この第２実施形態の複写装置２０７は、原稿載置ガラス２０８上に配置された原稿Ｓを光学的に読取るフラットヘッドスキャナ（図示せず）と、このフラットヘッドスキャナで読取った画像、及び、搬送される原稿の読取用のスキャナの読取った画像を印刷する印刷部（図示せず）とを備え、開いたときに原稿載置ガラス２０８が露出するように、自動原稿搬送装置２０２を複写装置２０７に対しヒンジ２０６で取り付け、更に、原稿読取装置の反射板２０４を、原稿載置ガラス２０８と同じ面に配置したものである。
【００３６】
このため、前述したように、自動原稿搬送装置２０２の前方を上部に動かすようにして開くと、反射板２０４と原稿読取用ガラス２０５と原稿載置ガラス２０８とが露出するので、これら３箇所を一度に清掃することができる。
【００３７】
また、この第２実施形態では、原稿読取装置を複写装置２０７に備えた例で説明したが、本発明の原稿読取装置を、ファクシミリ機能を有する装置（ファクシミリ装置）や、印刷機能を有する装置（印刷装置、プリンタ）に適用することもできる。また、複写機能、ファクシミリ機能、印刷機能のうち少なくとも２つ以上の機能を備えている装置（いわゆる複合機）に、適用することもできる。
【００３８】
更に、これら第１、第２の実施形態では、反射光を受光したときに原稿有りと判断し、反射光を受光しないときに原稿無しと判断する例で説明したが、これとは逆に、反射光を受光したときに原稿無しと判断し、反射光を受光しないときに原稿有りと判断するように、原稿有無検知センサと、原稿搬送路と、反射板との位置関係や、制御装置のソフトウェアを設定することもできる。
【図面の簡単な説明】
【００３９】
【図１】図１は、本発明の第1実施形態の原稿読取装置の要部を示す概略図である。
【図２】図２は、同原稿読取装置の原稿有無検知センサの検知状態を示す説明図である。
【図３】図３は、本発明の第２実施形態の複写装置における要部を示す斜視図である。
【図４】図４は、同複写装置の自動原稿搬送装置を開いた状態を示す斜視図である。
【図５】図５は、同複写装置の要部を示す断面図である。
【図６】図６は、同複写装置の反射板の配置された状態を示す平面図である。
【図７】図７は、同複写装置の自動原稿搬送装置を示す底面図である。
【図８】図８は、同複写装置に備える清掃具の斜視図である。
【図９】図９は、同清掃具の使用状態を示す要部斜視図である。
【符号の説明】
【００４０】
１０１    原稿読取装置
１０２    複写装置
１０３    原稿有無検知センサ
１０４    反射板
１０５    スキャナ
１０６    自動原稿搬送装置
１０７    ローラ
１０８    原稿読取ガラス
２０１    原稿読取装置
２０２    自動原稿搬送装置
２０２Ａ    背部
２０３    原稿有無検知センサ
２０４    反射板
２０５    原稿読取ガラス
２０６    ヒンジ
２０７    複写装置
２０７Ａ    複写装置背部
２０８    原稿載置ガラス
２０９    ローラ
２１０    原稿トレイ
２１１    排紙トレイ
２１２    操作部
２１３    キー
２１４    表示部
２１５    ホルダ
７０１    掃除具
７０２    クリーニングパッド
７０３    滑り材
７０４    握り
Ａ    原稿無し検知状態
Ｂ    原稿有り検知状態
Ｃ    誤検知状態
Ｓ    原稿
【図１】
2009296329.tif 000003
【図２】
2009296329.tif 000004
【図３】
2009296329.tif 000005
【図４】
2009296329.tif 000006
【図５】
2009296329.tif 000007
【図６】
2009296329.tif 000008
【図７】
2009296329.tif 000009
【図８】
2009296329.tif 000010
【図９】
2009296329.tif 000011